(57)【要約】【構成】遠隔再生/制御機能をもつ無線オーディオ/ビデオシステムである。このシステムは、システム本体ユニットおよび携帯式制御/再生装置を有する。システム本体ユニットは、オーディオ信号およびビデオ信号を受信する無線受信サブシステム、上記無線受信サブシステムが受信した信号を信号処理するオーディオ/ビデオ信号処理サブシステム、上記オーディオ/ビデオ信号を再送信するオーディオ/ビデオ出力サブシステム、上記オーディオ信号を増幅処理する一つか複数のオーディオ信号増幅器、および遠隔装置からの制御信号を受信する入力信号選択システムを有する。上記携帯式制御/再生装置は、プログラムマテリアル記憶サブシステム、上記プログラムマテリアル記憶サブシステムに記憶されているマテリアルを再生するプログラムマテリアル再生サブシステム、システム本体ユニットを制御するサブシステムおよび無線送信サブシステムを有する。【選択図】図１
2009529258.tif 000002
【特許請求の範囲】
【請求項１】
オーディオ信号およびビデオ信号を受信する無線受信サブシステム、
上記受信サブシステムが受信した信号を信号処理するオーディオ/ビデオ信号処理サブシステム、
上記オーディオ/ビデオ信号を再送信するオーディオ/ビデオ出力サブシステム、
上記オーディオ信号を増幅処理する一つか複数のオーディオ信号増幅器、および
遠隔装置からの制御信号を受信する入力信号選択システムを有するシステム本体ユニット、および
プログラムマテリアル記憶サブシステム、
上記プログラムマテリアル記憶サブシステムに記憶されているマテリアルを再生するプログラムマテリアル再生サブシステム、
システム本体ユニットを制御するサブシステム、および
システム本体制御ユニットからシステム本体ユニットの上記無線受信サブシステムに信号を送信する無線送信サブシステムを有する携帯式制御／再生装置を有することを特徴とする遠隔再生/制御方式の無線オーディオ/ビデオシステム。
【請求項２】
上記携帯式制御/再生装置をサテライト制御/再生装置として構成するとともに、マスターユニットとして構成されるか、あるいは複数のユーザーが一台のシステムを共有できるか、複数のユーザーが無線オーディオビデオネットワーク内に取り込まれる無線伝送範囲を拡大できるように構成された別な携帯式制御/再生装置から送信された無線信号のリピータとして機能させるようにした請求項１記載のシステム。
【請求項３】
リクエスト信号をマスター携帯式制御/再生装置に送るように上記サテライト携帯式制御/再生装置を構成するとともに、上記サテライト携帯式制御/再生装置から伝送されたオーディオ/ビデオ信号を再生するように上記システムを設定することによって、オーディオ特性およびビデオ特性をもつ無線会議システムとして機能させるようにした請求項２記載のシステム。
【請求項４】
上記携帯式制御/再生装置がさらにビデオ表示システムを有する請求項１記載のシステム。
【請求項５】
上記携帯式制御/再生装置がさらにオーディオ再生システムを有する請求項１記載のシステム。
【請求項６】
上記携帯式制御/再生装置がさらに他の携帯式制御/再生装置からの無線信号を受信する無線受信サブシステムを有する請求項１記載のシステム。
【発明の詳細な説明】
【技術分野】
【０００１】
本発明は、無線オーディオ/ビデオシステムに関する。限定するものではないが、具体的には、本発明は、オーディオ/ビデオ信号および制御信号を送受信するハンディ装置を有するこのようなシステムに関する。
【背景技術】
【０００２】
公知の家庭用音響画像システムは、ＤＶＤデッキやケーブル/サテライト受信機などの信号源、表示モニター、各サラウンド音声増幅器および各リモコンユニットを有する。このようなシステムは、多くのシステムコンポーネント間をケーブルで接続する必要がある点に問題がある。
【発明の開示】
【発明が解決しようとする課題】
【０００３】
本発明の目的は、上記問題を解決または実質的に軽減することであり、より一般的には、遠隔再生/制御方式の改良無線オーディオ/ビデオシステムを提供することである。
【課題を解決するための手段】
【０００４】
即ち、本発明は、
オーディオ信号およびビデオ信号を受信する無線受信サブシステム、
上記無線受信サブシステムが受信した信号を信号処理するオーディオ/ビデオ信号処理サブシステム、
上記オーディオ/ビデオ信号を再送信するオーディオ/ビデオ出力サブシステム、
上記オーディオ信号を増幅処理する一つか複数のオーディオ信号増幅器、および
遠隔装置からの制御信号を受信する入力信号選択システムを有するシステム本体ユニット、および
プログラムマテリアル記憶サブシステム、
上記プログラムマテリアル記憶サブシステムに記憶されているマテリアルを再生するプログラムマテリアル再生サブシステム、
システム本体ユニットを制御するサブシステム、および
システム本体制御ユニットからシステム本体ユニットの上記無線受信サブシステムに信号を送信する無線送信サブシステムを有する携帯式制御／再生装置を有する遠隔再生/制御方式の無線オーディオ/ビデオシステムを開示したものである。
【０００５】
好適な実施態様では、上記携帯式制御/再生装置をサテライト制御/再生装置として構成するとともに、マスターユニットとして構成されるか、あるいは複数のユーザーが一台のシステムを共有できるか、複数のユーザーが無線オーディオビデオネットワーク内に取り込まれる無線伝送範囲を拡大できるように構成された別な携帯式制御/再生装置から送信された無線信号のリピータとして機能させるように構成する。
【０００６】
また、好適な実施態様では、リクエスト信号をマスター携帯式制御/再生装置に送るように上記サテライト携帯式制御/再生装置を構成するとともに、上記サテライト携帯式制御/再生装置から伝送されたオーディオ/ビデオ信号を再生するように上記システムを設定することによって、オーディオ特性およびビデオ特性をもつ無線会議システムとして機能させるように構成する。
【０００７】
また、好適な実施態様では、上記携帯式制御/再生装置がさらにビデオ表示システムを有する。
【０００８】
また、好適な実施態様では、上記携帯式制御/再生装置がさらにオーディオ再生システムを有する。
【０００９】
また、好適な実施態様では、上記携帯式制御/再生装置がさらに他の携帯式制御/再生装置からの無線信号を受信する無線受信サブシステムを有する。
【発明を実施するための最良の形態】
【００１０】
説明のみを目的として、以下添付図面について本発明の好適な形態を説明する。
【００１１】
図１は、ＤＶＤプレーヤまたはハードディスクプレーヤなどの内蔵プログラム記憶/再生ユニット、オーディオビデオシステム制御ユニットおよび無線通信装置などで構成することができる携帯式制御/再生装置を示す概略図である。場合に応じて、携帯式制御/再生装置は、内蔵プログラム記憶/再生装置を設ける代わりに、ＤＶＤプレーヤ、サテライトチューナ、ケーブルＴＶ受信機、デジタル地上セットトップボックスなどの遠隔オーディオ/ビデオプログラム源からの信号を受信できるように構成してもよい。
【００１２】
本発明システムは、無線受信手段、信号デコーダ手段、表示装置および外部スピーカ用増幅器を内蔵したシステム本体ユニットを有する。
【００１３】
携帯式制御/再生装置は、表示システム状態およびプログラム情報/再生状態を統合する手段を有することができる。
【００１４】
携帯式制御/再生装置の無線伝送手段は、再生状態のプログラムのオーディオ/ビデオ信号およびオーディオビデオシステムの制御信号を伝送できる。信号伝送は、無線周波数ＲＦ、赤外ＩＲビームあるいは家庭用電源などの無線手段によって行うことができる。
【００１５】
本発明システムのユーザーは、居間のソファーなどのシステム本体ユニットから離れた位置に携帯式制御/再生装置を持って行くことができ、現在市場で入手できるオーディオビデオシステムの場合に必要なようにオーディオビデオシステムに物理的に手を伸ばすことなく、プログラム源の選択、プログラムマテリアルの選択、ビデオレベル、サラウンド音声レベル、オーディオレベルについて全体的かつ完全な制御を手にすることができる。システム本体ユニットは無線伝送によって携帯式制御/再生装置からのプログラム信号およびシステム制御信号を受信し、これら信号を処理して、ユーザーが必要とするオーディオ/ビデオ信号を出力する。
【００１６】
本発明システムからのビデオ信号出力は、表示装置に送られ、そしてオーディオ信号は、通常の有線接続か、あるいは無線伝送によってスピーカに出力される。
【００１７】
上記の携帯式制御再生装置のユーザーは、現在のオーディオビデオシステムの場合に必要なようにオーディオビデオシステムに物理的に手を伸ばすことなく、再生プログラムやプログラムディスクの出し入れなどのシステムの設定を全体的に制御できる。
【００１８】
図２は、一つか複数のシステム本体装置と連動する複数の携帯式制御/再生装置からなるより改善したシステムを示す概略図である。携帯式制御/再生装置の一つは、本システムのマスターユニットになる。このマスター携帯式制御/再生装置からのオーディオビデオ信号が、システム本体ユニットおよび他の携帯式制御/再生装置に同時に送られる。このシステム本体ユニットおよび他の全ての携帯式制御/再生装置が、マスター制御/再生装置が再生しているプログラムのオーディオ/ビデオ信号を表示することになる。
【００１９】
携帯式制御/再生装置の一部は、マスターユニットからの無線伝送信号を受信するサテライトユニットとして構成でき、携帯式制御/再生装置上の表示ユニットが、マスターユニットから受信したオーディオ/ビデオ信号を再生するように構成されることになる。
【００２０】
サテライト携帯式制御/再生装置の一部は、受信オーディオ/ビデオ信号を他の遠く離れた位置にある携帯式制御/再生装置に再送信する無線信号リピータとして構成できる。
【００２１】
この操作方式では、マスターユニットとして作用しない携帯式制御/再生装置は、無線信号リピータとして作用するように構成し、マスターユニットによって提供された無線信号を伝送することによって、本発明システムに使用できる携帯式制御/再生装置の範囲および個数を拡大できる。
【００２２】
サテライト携帯式制御/再生装置のユーザーは、時に応じて、マスター携帯式制御/再生装置によって受信されるある制御信号を送信する。この制御信号は、マスターユニットのユーザーによって許可されるべきある種の行為に関するサテライト携帯式制御/再生装置のユーザーからのリクエストを構成するもので、このリクエストを受けて、マスターユニットのユーザーがマスター携帯式制御/再生装置か、あるいはシステム本体ユニットのいずれかを設定し、サテライト携帯式制御/再生装置からのプログラム信号を再生することを決定できる。この操作方式のもとでは、図２のシステムは、オーディオ特性かつビデオ特性をもつ会議用システムとして利用できる。
【００２３】
携帯式制御/再生装置からのプログラムマテリアル/システム制御信号の伝送については、同じ場所または異なる場所にいる複数のユーザーのために、複数の部屋を対象とするオーディオビデオシステムの手段として、あるいはオーディオビデオ信号を複数のユーザーに提供する手段として、他の携帯式制御/再生装置および複数のメインシステムによって利用できる。
【００２４】
なお、当業者にとって自明な変更などは、本発明の範囲を超えるものではない。
【図面の簡単な説明】
【００２５】
【図１】遠隔再生方式の基本的なオーディオ/ビデオシステムを示すブロック図である。
【図２】より改良したオーディオ/ビデオシステムを示すブロック図である。
【図１】
2009529258.tif 000003
【図２】
2009529258.tif 000004
【国際調査報告】
2009529258.tif 000005
2009529258.tif 000006
2009529258.tif 000007